(57)【要約】
【課題】着脱および長さ調整を簡単かつ確実に行うことができ、また、体の複数箇所に使用可能な防寒用帯体を提供する。
【解決手段】本考案の防寒用帯体１は、表裏に毛状材が設けられた帯部１ａを有する防寒用帯体において、帯部１ａの一方の面の一端部に設けられたレール状の掛合部材７と、帯部１ａの他方の面の他端部に設けられ掛合部材７を内部に挿入して掛止可能な掛止部材８とを、着脱可能かつ掛合位置の調整を可能な状態に設けた差し込み式調整部２を備え、差し込み式調整部２を、帯部１ａの両端部を重ねた状態で掛合可能な位置に配置し、レール状の掛合部材７は、帯部１ａに、掛合部材７の幅より広い絡み防止用布材９を介して設け、絡み防止用布材を、矩形に形成して帯部の一方の面の一端部に縫合し、掛合部材７と掛止部材８とを掛合させたときに、帯部１ａの他方の面の他端部に重合するように配置した。
【選択図】　図１
0003099263.tif 000002
【実用新案登録請求の範囲】
【請求項１】
　表裏に５ｍｍ〜７０ｍｍの長さの毛状材が設けられた帯部を有する防寒用帯体において、
　前記帯部の一方の面の一端部に、先端を一端に揃えて設けられたレール状の掛合部材と、前記帯部の他方の面の他端部に設けられ前記掛合部材を内部に挿入して掛止可能な掛止部材とを、着脱可能かつ掛合位置の調整を可能な状態に設けた差し込み式調整部を備え、
　前記差し込み式調整部は、前記帯部の両端部を重ねた状態で掛合可能な位置に配置され、
　レール状の前記掛合部材は、前記掛合部材の幅より広い絡み防止用布材を介して設けられ、
　前記絡み防止用布材は、矩形に形成されて前記帯部の一方の面の一端部に縫合され、前記掛合部材と前記掛止部材とを掛合させたときに、前記帯部の他方の面の他端部に重合して配置されることを特徴とする防寒用帯体。
【請求項２】
　前記掛止部材の基部は、前記帯部に回動可能に設けられていることを特徴とする請求項１に記載の防寒用帯体。
【請求項３】
　前記防寒用帯体は、リストバンドまたはアンクレットであることを特徴とする請求項２に記載の防寒用帯体。
【請求項４】
　前記防寒用帯体は、２つの前記帯部を環状に形成した襟巻であることを特徴とする請求項３に記載の防寒用帯体。
【請求項５】
　前記防寒用帯体は、３つ以上の帯部を紐状に形成したマフラーであることを特徴とする請求項３に記載の防寒用帯体。
【考案の詳細な説明】
【技術分野】
【０００１】
　本考案は、体に装着して使用する防寒用帯体に関する。
【背景技術】
【０００２】
　寒さを感じる季節になると、首、手首、足首等の衣類から外に出た部分を防寒する必要がある。このような部分に巻き付ける防寒用帯体として、従来、マフラー、襟巻、リストバンドが用いられている。なお、ここでいう襟巻とは、首廻りに装着したときに環状に形成されるものをいい、両端部が余るものを除いたものである。
【０００３】
　リストバンドは、通常、環状に形成され、ゴム等を利用して伸縮できるように形成されている。また、襟巻は、両端に掛止金具を有して首の回りに巻き付けて固定できるように形成されている。また、マフラーは、１つの長い帯状物からなり、首に巻き付けた状態で使用する。マフラーは、通常、複数の部材に分離しないように形成されているが、安全のため、中央で分離するように形成したマフラーが特許文献１に記載されている。
【０００４】
　近年、毛糸等の他に、ボアやファーまたはフェイクファーと呼ばれる毛状材付きの帯体を用いた防寒用帯体も市販されるようになっている。毛状材とは、糸状の繊維を所定長さに切り揃えたもので、その基端部を基材に固定し、先側を非固定状態にして使用するものをいうが、天然の動物の毛も含まれるものとする。
【０００５】
【特許文献１】特開２００２−１８０３１３公報　（第２頁、第１図）
【考案の開示】
【考案が解決しようとする課題】
【０００６】
　しかしながら、毛状材付きの帯体は、伸縮性がないので、リストバンドとして用いるときは、ゴム状のバンドの周囲の一部だけに飾りとして用いることしかできないので、見栄えはよくなるが、防寒性がないという問題がある。
【０００７】
　また、毛状材付きの帯体を襟巻に用いるときは、両端部を金具で連結する方式なので、長さの変更ができないという問題がある。
【０００８】
　また、特許文献１に記載されたマフラーは、面ファスナによって連結されているので、毛状材が面ファスナに絡まり、着脱が困難になるとともに、毛状材が抜け落ちるので外観性を損なうという問題がある。
【０００９】
　一方、特許文献１に記載されたマフラーを分離した部材は、面ファスナがそれぞれ１つずつしか設けられておらず、単独で使用することができないので、非使用時には邪魔になるという問題がある。
【００１０】
　そして、リストバンドやマフラーは、使用箇所が限定されているので、体の他の部分に使用することができないという問題がある。
【００１１】
　そこで本考案が解決しようとする課題は、着脱および長さ調整を簡単かつ確実に行うことができ、また、体の複数箇所に使用可能な防寒用帯体を提供することにある。
【課題を解決するための手段】
【００１２】
　前記課題を解決するため、本考案の防寒用帯体は、表裏に５ｍｍ〜７０ｍｍの長さの毛状材が設けられた帯部を有する防寒用帯体において、前記帯部の一方の面の一端部に、先端を一端に揃えて設けられたレール状の掛合部材と、前記帯部の他方の面の他端部に設けられ前記掛合部材を内部に挿入して掛止可能な掛止部材とを、着脱可能かつ掛合位置の調整を可能な状態に設けた差し込み式調整部を備え、前記差し込み式調整部は、前記帯部の両端部を重ねた状態で掛合可能な位置に配置され、レール状の前記掛合部材は、前記掛合部材の幅より広い絡み防止用布材を介して設けられ、前記絡み防止用布材は、矩形に形成されて前記帯部の一方の面の一端部に縫合され、前記掛合部材と前記掛止部材とを掛合させたときに、前記帯部の他方の面の他端部に重合して配置されることを特徴とする。
【００１３】
　毛状材の長さを５ｍｍ〜７０ｍｍ程度としたのは、５ｍｍ未満では、毛状材が空気を保持することが困難になって防寒性に乏しくなり、また、７０ｍｍを超えると、掛合部材と掛止部材の間に入り込み、着脱が困難になるからである。
【００１４】
　レール状の掛合部材とは、プラスチック等の可撓性の部材からなって直線状に形成され、その途中位置に複数の突起部を有するものをいう。レール状の掛合部材は、毛状材と略直交する方向から掛合されるため、面状ファスナやボタン等の固定手段を用いたときのように毛状材を挟みこむことが少なくなる。また、面状ファスナやボタン等を用いた場合には、長さ調整を行うときに、端部を一度離してから再度取り付ける必要があるが、レール状の掛合部材を用いることによって、端部を重ねた状態のまま長さ調整を行うことができるので、端部からの寒気の侵入を防止しながら長さ調整を行うことができる。
【００１５】
　差し込み式調整部を両端部を重ねた状態で掛合可能な位置に配置するには、掛止部材を掛合部材に外挿し、帯部の端部に一番近い位置で固定したときに、帯部の両端部が離れた状態とならないように掛止部材および掛合部材の相対位置を設定すればよい。掛止部材を掛合部材のさらに奥側に差し込んだときには、両端部の重なり部分の面積がさらに広くなることになる。
　このとき、掛合部材と掛止部材の一方の端部が、帯部の端部から側方に突出するように設けてもよいが、外観性を考慮すると、両方とも突出しないように設けることが好ましい。
【００１６】
　掛合部材と掛止部材は、どちらを表側に配置してもよいが、掛合部材を表側に配置した方が着脱の作業性が向上する。掛合部材に掛止部材を外挿し、掛止部材を掛合部材に所定位置で掛止させることにより、防寒用帯体を環状に形成して、体の各部に密着状態で装着することができる。このとき、絡み防止用布材を設けているので、毛状材がレール状の掛合部材に絡みついて掛合部材と掛止部材との間に入り込むことが少なくなる。
【００１７】
　前記防寒用帯体は、両端部に互いに掛合可能な掛合部材および掛止部材を有しているので、他の防寒用帯体に連結することもできる。複数連結すると、隣接する帯部の端部を重ねて形成することができ、この端部を毛状材で隠すことができるので、端部が目立たなくなり、１本の長い帯体になる。また、各防寒用帯体にそれぞれ差し込み式調整部が設けられているので、連結数を多くして長く形成した場合も、分離した１本ずつに形成した場合もそれぞれ環状に形成でき、体の各部に装着することができる。
【００１８】
　前記掛止部材の基部を、前記帯部に回動可能に設けると、掛合部材が挿入される掛止部材の先部が毛状材の基部から離反するので、毛状材が掛止部材にからみついて掛合部材と掛止部材との間に入り込むことがなくなる。また、掛合部材の長手方向に掛止部材の挿入部を合わせて掛合部材を挿入することができ、操作性が向上する。
【００１９】
　また、掛止部材および掛合部材を有して、帯部の端部を重ねた状態で掛合できるので、隙間からの冷気の侵入を防止して、保温性を高めることができ、また、帯部に毛状材が形成されているので、毛状材によって端部を隠すことができ、外観性を向上させることができる。
【００２０】
　絡み防止用布材を、掛合部材と掛止部材とを掛合させたときに、帯部の他方の面の他端部に重合するように配置すると、毛状材が設けられている部分より保温性が劣る絡み防止部材を他端部の毛状材に重ねて、空気が逃げることを防止し、端部の保温性を向上させることができる。さらに、絡み防止用布材が、他方の面の他端部に重合して配置されるので、端部の隙間がない状態でレール状の掛合部材で長さ調整を行うことができる。
【００２１】
　前記防寒用帯体を、リストバンドまたはアンクレットとすると、手首や足首を保温することができる。リストバンドまたはアンクレットとするためには、防寒用帯体の長さを、例えば、２００〜４００ｍｍ程度に形成することが好ましい。２００ｍｍ未満では手首や足首に巻き付けることができなくなり、４００ｍｍを超えると、手首や足首に密着しなくなるからである。
【００２２】
　前記防寒用帯体を、２つの帯部を環状に形成した襟巻とすると、通常は襟巻として使用することができ、また、２つの防寒用帯体を分離させた場合は、手首等の細い部位にも使用することができる。
【００２３】
　前記防寒用帯体を、３つ以上の帯部を紐状に形成したマフラーとすると、通常は、マフラーとして使用することができ、また、２つ連結した帯部を、前記マフラーから分離させて襟巻として使用することもでき、さらに、１つの帯部を分離させてリストバンドやアンクレットとして使用することもできる。
【考案の効果】
【００２４】
　本考案によれば次の効果を奏する。
（１）本考案の防寒用帯体は、表裏に毛状材が設けられた帯部を有する防寒用帯体において、互いに掛合可能なレール状の掛合部材および掛止部材をそれぞれ有して掛合位置の調整が可能な差し込み式調整部を備え、差し込み式調整部は、帯部の両端部を重ねた状態で掛合可能な位置に配置され、レール状の掛合部材は、帯部に、掛合部材の幅より広い絡み防止用布材を介して設けられているので、防寒用帯体を環状に形成して、体の各部に密着状態で装着することができ、毛状材がレール状の掛合部材に絡みついて掛合部材と掛止部材との間に入り込むことが少なくなり、着脱および長さ調整を簡単かつ確実に行うことができる。
　また、防寒用帯体は、両端部に互いに掛合可能な掛合部材および掛止部材を有しているので、他の防寒用帯体に連結することもでき、複数連結すると、隣接する帯部の端部を重ねて形成することができ、この端部を毛状材で隠すことができるので、端部が目立たなくなり、１本の長い帯体として使用することができる。また、各防寒用帯体にそれぞれ差し込み式調整部が設けられているので、連結数を多くして長く形成した場合も、分離した１本ずつに形成した場合もそれぞれ環状に形成でき、体の複数箇所に装着することができる。
（２）掛止部材の基部を、帯部に回動可能に設けると、掛合部材が挿入される掛止部材の先部が毛状材の基部から離反するので、毛状材が掛止部材にからみついて掛合部材と掛止部材との間に入り込むことがなくなる。また、掛合部材の長手方向に掛止部材の挿入部を合わせて掛合部材を挿入することができ、操作性が向上するので、着脱および長さ調整を簡単かつ確実に行うことができる。
（３）防寒用帯体を、リストバンドまたはアンクレットとすると、手首や足首を保温することができる。
（４）防寒用帯体を、２つの帯部を環状に形成した襟巻とすると、通常は襟巻として使用することができ、また、２つの防寒用帯体を分離させた場合は、手首等の細い部位にも使用することができる。
（５）防寒用帯体を、３つ以上の帯部を紐状に形成したマフラーとすると、通常は、マフラーとして使用することができ、また、２つ連結した帯部を、前記マフラーから分離させて襟巻として使用することもでき、さらに、１つの帯部を分離させてリストバンドやアンクレットとして使用することもできる。
【考案を実施するための最良の形態】
【００２５】
　以下、本考案の実施の形態について説明する。
（第１の実施の形態）
　図１は本考案の第１の実施の形態の防寒用帯体の正面図、図２（Ａ）は同防寒用帯体の背面図である。図１、図２に示すように、本考案の防寒用帯体１は、表裏に毛状材４が設けられた帯部１ａと、掛合部材７および掛止部材８を備えた差し込み式調整部２とを有している。
【００２６】
　図３は、帯部を構成するボア材の平面図である。図３に示すように、帯部１ａを構成するボア材５は、布製基材３の表面に２０〜７０ｍｍ程度の長さの毛状材４を織り込んだものである。なお、本実施の形態では、直線状の毛状材を使用しているが、他に巻毛状のものを使用することも可能である。また、色や模様が付されたものもあるが、特に限定しない。色の種類としては、例えば、白、ピンク、茶、アイボリー、ベージュ、グレー、黒、ショッキングピンク等があり、模様として、例えば、ヒョウ柄等の動物の外観を模したものがある。
　また、長さ５ｍｍ程度の毛状材を有するタオル生地を用いることも可能である。
【００２７】
　ボア材５は、例えば、１００〜２００ｍｍの幅で、２００〜４００ｍｍの長さの矩形に切断され、外周に約１０ｍｍの幅の縫合部６を形成している。縫合部６は、毛状材４を５ｍｍ程度の長さに切断したもので、縫合部６を設けることによって、毛状材４が縫い糸に絡まることを防止している。
【００２８】
　ボア材５は、毛状材４を内側に向けて二つ折りにされ、縫合部６の内側端に沿って、二辺を縫合した後、裏返して毛状材４を表側に出し、残った縫合部６の一辺を表側に出した状態で縫合する。このようにして帯部１ａが形成される。
　縫合部６の一辺を表側に出した状態で縫合するのは、掛合部材７に毛状材４が絡まることを防止するためである。
　また、長辺の縫合部６は、裏面側にずらして形成することが好ましい。かかる構成によって、装着時に表側から縫合部６が見えなくなり、外観性がよくなる。
【００２９】
　図２（Ｂ）は差し込み式調整部の掛合部材の断面図、（Ｃ）は差し込み式調整部の掛止部材の断面図である。
　図１、図２（Ａ）〜（Ｃ）に示すように、差し込み式調整部２は、帯部１ａの一方の面の一端部に設けられたレール状の掛合部材７と、他方の面の他端部に設けられた掛止部材８とを有している。
【００３０】
　掛合部材７は、絡み防止用布材９を介して設けられている。絡み防止用布材９は、長さ７０ｍｍ程度、幅２０ｍｍ程度の矩形に形成され、帯部１ａの一端部に縫合されている。また、絡み防止用布材９の幅は、掛合部材７の幅よりも広く形成されている。絡み防止用布材９が設けられているので、帯部１ａの毛状材４が掛合部材７に接触しにくくなっており、掛合部に絡みにくくなり、差し込み式調整部２の操作性が向上するとともに、毛状材４が抜けにくくなり、製品の寿命が長くなる。
【００３１】
　掛合部材７は、ナイロン等の樹脂材料により形成され、５ｍｍ程度の幅で５０ｍｍ程度の長さに形成されたレール部１０と、本体部の他側の端部に形成された幅広のストッパ部１１とを有し、先端を帯部の一端に揃えて絡み防止用布材９に縫合されている。レール部１０の表側には、多数の突起部１２が長手方向に３ｍｍ程度の間隔をあけて２列に形成されている。
【００３２】
　掛止部材８は、ポリアセタール等の樹脂材料により形成され、環状に形成されたリング状基部１３と、その先側に設けられた外挿部１４とを有している。
　リング状基部１３は、二つ折りにして環状取付部を形成した固定用布材１９に回動可能に保持され、固定用布材１９は、帯部１ａに縫合されている。掛止部材８の先端位置は、帯部１ａの他端より少し内側に配置されている。
【００３３】
　外挿部１４は、掛合部材７のレール部１０を内部に挿入可能な断面Ｃ字状のレール保持部１５と、レール部１０の長手方向に対して直交する方向に移動でき、レール部１０の突起部１２の間に進退可能な爪部１６を有している。ばね部１７を備えた押し釦部１８を押圧すると、爪部１６が突起部１２の間から退避してレール部１０をその長手方向に移動させることができ、押し釦部１８を離すと、爪部１６が突起部１２の間に進入して突起部１２に掛合し、レール部１０が移動できなくなる。このように、互いに掛合可能な掛合部材７および掛止部材８を用いているので、帯部１ａを手首等に密着させて使用しても、押し釦部１８を押さない状態では簡単に外れることがなく、安心して使用することができる。
【００３４】
　防寒用帯体１は、単体で、例えば、リストバンドやアンクレットとして用いることができる。
　図４（Ａ）、（Ｂ）は、本考案の防寒用帯体の使用状態を示す斜視図である。図４（Ａ）に示すように、防寒用帯体１をリストバンドとして用いるときには、まず、掛止部材８の押し釦部１８を押しながら、掛合部材７のレール部１０を、掛止部材８の外挿部１４に挿入し、レール部１０の端部に近い位置で押し釦部１８から手を離して、防寒用帯体１を環状に形成する。
【００３５】
　このとき、掛止部材８の外挿部１４を帯部１ａに対して直立状態となるように回動させると、外挿部１４の先端が帯部１ａの他方の面から離反するので、毛状材４が外挿部１４に絡みつくことが防止され、操作性が向上する。また、掛合部材７が帯部１ａに絡み防止用布材９を介して設けられているので、毛状材４が掛合部に絡みにくくなり、差し込み式調整部２の操作性がさらに向上するとともに、毛状材４が抜けにくくなり、製品の寿命が長くなる。
【００３６】
　次いで、環状に形成された防寒用帯体１内に手首を挿入し、掛止部材８の押し釦部１８を押しながら、レール部１０を、外挿部１４の奥側にさらに挿入し、所定位置で押し釦部１８から手を離す。
【００３７】
　防寒用帯体１は、図４（Ｂ）に示す状態で使用される。図４（Ｂ）は、レール部１０を外挿部１４の一番奥まで差し込んで掛合した状態を示しているが、一番手前で掛合した場合でも、帯部１ａの両端部は重なった状態となるので、冷気の侵入が防止され、防寒を確実に行うことができる。また、表面に毛状材４が設けられているので、帯部１ａの端部に露出している縫合部６を隠すことができ、外観性が向上する。
【００３８】
（第２の実施の形態）
　図５は、本考案の第２の実施の形態の防寒用帯体の使用状態を示す斜視図である。図５に示すように本考案の第２の実施の形態の防寒用帯体２０は、防寒用帯体１を２つ用いて、それぞれの両端部を連結して環状に形成し、襟巻として使用するものである。
【００３９】
　防寒用帯体２０は、まず、一方の防寒用帯体１のレール部１０を他方の防寒用帯体１の外挿部１４に挿入して掛合させて帯状に形成する。次いで、連結された２つの防寒用帯体１を首に掛け、他方の防寒用帯体１のレール部１０を、一方の防寒用帯体の外挿部１４に挿入して、長さを調整して掛合する。
【００４０】
　外挿部１４の先端を帯部１ａの他方の面から回動させ離反させることができるので、毛状材４が外挿部１４に絡みつくことが防止され、操作性が向上する。また、掛合部材７が帯部１ａに絡み防止用布材９を介して設けられているので、毛状材４が掛合部に絡みにくくなり、差し込み式調整部２の操作性がさらに向上するとともに、毛状材４が抜けにくくなり、製品の寿命が長くなる。
【００４１】
　それぞれの端部は、重なった状態になるので、端部からの冷気の侵入が防止され、防寒を確実に行うことができる。また、表面に毛状材４が設けられているので、帯部１ａの端部に露出している縫合部６を隠すことができ、外観性が向上する。
【００４２】
　また、防寒用帯体２０を使用しないときは、２つの防寒用帯体１に分離して、リストバンドやアンクレットとして使用することができるので、汎用性が高まり、例えば外出中に、不要な荷物が増えることを防止することができる。
【００４３】
（第３の実施の形態）
　図６は、本考案の第３の実施の形態の防寒用帯体２１の正面図である。図６に示すように、第３の実施の形態の防寒用帯体２１は、第１の実施の形態の防寒用帯体１を３以上連結して紐状に形成し、マフラーとして使用するものである。
【００４４】
　防寒用帯体２１は、第１の防寒用帯体１のレール部１０を第２の防寒用帯体１の外挿部１４に挿入して掛合させ、第２のレール部１０を第３の防寒用帯体１の外挿部１４に挿入して掛合させる。これを繰り返して、所定長さのマフラーを形成することができる。
【００４５】
　外挿部１４の先端を帯部１ａの他方の面から回動させ離反させることができるので、毛状材４が外挿部１４に絡みつくことが防止され、操作性が向上する。また、掛合部材７が帯部１ａに絡み防止用布材９を介して設けられているので、毛状材４が掛合部に絡みにくくなり、差し込み式調整部２の操作性がさらに向上するとともに、毛状材４が抜けにくくなり、製品の寿命が長くなる。
【００４６】
　それぞれの端部は、重なった状態になるので、端部からの冷気の侵入が防止され、防寒を確実に行うことができる。また、表面に毛状材４が設けられているので、帯部１ａの端部に露出している縫合部６を隠すことができ、外観性が向上する。
【００４７】
　また、防寒用帯体２０を使用しないときは、２つの防寒用帯体１を取り外して、襟巻として使用することができ、また、１つずつに分離して、リストバンドやアンクレットとして使用することができるので、汎用性が高まり、例えば外出中に、不要な荷物が増えることを防止することができる。
　以上、本考案の実施の形態について説明してきたが、本考案は、前記実施の形態に限定されるものではなく、例えば、表側に露出させる縫合部６の面積を狭く形成し、掛合部材の周辺部だけにすることも可能である。
【産業上の利用可能性】
【００４８】
　本考案の防寒用帯体は、体に装着して使用する防寒用帯体として有用であり、特に、リストバンドやマフラーに適している。
【図面の簡単な説明】
【００４９】
【図１】本考案の第１の実施の形態の防寒用帯体の正面図である。
【図２】（Ａ）は同防寒用帯体の背面図、（Ｂ）は差し込み式調整部の掛合部材の断面図、（Ｃ）は差し込み式調整部の掛止部材の断面図である。
【図３】帯部を構成するボア材の平面図である。
【図４】（Ａ）、（Ｂ）は、本考案の防寒用帯体の使用状態を示す斜視図である。
【図５】本考案の第２の実施の形態の防寒用帯体の使用状態を示す斜視図である。
【図６】本考案の第３の実施の形態の防寒用帯体の使用状態を示す正面図である。
【符号の説明】
【００５０】
　１　防寒用帯体
　１ａ　帯部
　２　差し込み式調整部
　３　布製基材
　４　毛状材
　５　ボア材
　６　縫合部
　７　掛合部材
　８　掛止部材
　９　絡み防止用布材
　１０　レール部
　１１　ストッパ部
　１２　突起部
　１３　リング状基部
　１４　外挿部
　１５　レール保持部
　１６　爪部
　１７　ばね部
　１８　押し釦部
　１９　固定用布材
　２０　防寒用帯体
　２１　防寒用帯体
【図１】
0003099263.tif 000003
【図２】
0003099263.tif 000004
【図３】
0003099263.tif 000005
【図４】
0003099263.tif 000006
【図５】
0003099263.tif 000007
【図６】
0003099263.tif 000008